(57)【要約】【課題】表示体を収容部に載置した状態で適切に挟持するための、背面板の位置合わせを簡素化できる表示具を提供する。【解決手段】表示体２と、表示体２が背面側から収容される収容部５０を備える基枠体６と、表示体２を基枠体６とにより挟持する背面板４と、を備えた表示具１であって、基枠体６は、少なくとも１辺の左右の角部に突出部３Ｃ，３Ｄを備え、背面板４は、少なくとも１辺に突出部３Ｃ，３Ｄ間に嵌合する矩形状の凸部４Ｃを備えている。【選択図】図６
2018072627.tif 000002
【特許請求の範囲】
【請求項１】
表示体と、前記表示体が背面側から収容される収容部を備える基枠体と、前記表示体を前記基枠体とにより挟持する背面板と、を備えた表示具であって、
前記基枠体は、少なくとも１辺の左右の角部に突出部を備え、前記背面板は、少なくとも１辺に前記突出部間に嵌合する矩形状の凸部を備えていることを特徴とする表示具。
【請求項２】
前記突出部は、前記基枠体に左右対称に形成されており、且つ、前記矩形状の凸部は、前記背面板に左右対称に形成されていることを特徴とする請求項１に記載の表示具。
【請求項３】
前記突出部は、前記基枠体の四隅の角部に形成されており、前記背面板は、前記基枠体と嵌合する前記矩形状の凸部とは別体の、該凸部が嵌合する前記突出部間とは異なる突出部間に嵌合する遊嵌凸部を備えることを特徴とする請求項１または２に記載の表示具。
【請求項４】
前記突出部は、その２辺が前記基枠体の２辺に沿ったＬ字型であり、前記背面板の四隅の角部は、Ｌ型の前記突出部の内角部に略内接することを特徴とする請求項１ないし３のいずれかに記載の表示具。
【請求項５】
前記基枠体は磁性体で形成されており、前記背面板の凸部は着磁体で形成されていることを特徴とする請求項１ないし４のいずれかに記載の表示具。
【発明の詳細な説明】
【技術分野】
【０００１】
本発明は、写真や案内文字を表示したプレートや紙を収容して掲示される表示具に関する。
【背景技術】
【０００２】
例えば、図書館や図書室の書棚には、この書棚に収容されている図書を案内するために、図書の分類や種類を刻み込まれたアクリル板からなる表示具が書棚の側面に掲示されていた。しかし、図書の移動や入れ換えが発生した際、都度、アクリル板に案内を刻み込むことは手間であることから、入れ換え前の表示具は再利用できず廃棄されていた。そこで案内文字を印字したプレートや紙等の表示体を収容させる額縁のような収容部を有した表示具を利用することで、表示具を再利用できるようにしたものがある。
【０００３】
特許文献１に開示されているような表示具は、磁性体であるフェライト粉末を含有して形成され、表示用窓を備えた枠部材と、着磁粉末を含有して形成された表示体収容部と、から主に構成されており、枠部材と表示体収容部とを磁力によって着脱自在とすることで、表示体の入れ換えを容易にしたものがある。
【先行技術文献】
【特許文献】
【０００４】
【特許文献１】実公平２−２８５４３号公報（第２頁、第１図）
【発明の概要】
【発明が解決しようとする課題】
【０００５】
しかしながら、特許文献１にあっては、枠部材と表示体収容部とを一体化させる際、枠部材と表示体収容部とが意図しない箇所で吸着される等で、位置ずれを起こしやすく、位置合わせが大変煩雑であった。
【０００６】
本発明は、このような問題点に着目してなされたもので、表示体を収容部に載置した状態で適切に挟持するための、背面板の位置合わせを簡素化できる表示具を提供することを目的とする。
【課題を解決するための手段】
【０００７】
前記課題を解決するために、本発明の表示具は、
表示体と、前記表示体が背面側から収容される収容部を備える基枠体と、前記表示体を前記基枠体とにより挟持する背面板と、を備えた表示具であって、
前記基枠体は、少なくとも１辺の左右の角部に突出部を備え、前記背面板は、少なくとも１辺に前記突出部間に嵌合する矩形状の凸部を備えていることを特徴としている。
この特徴によれば、背面板の備える矩形状の凸部が、基枠体の備える突出部間に案内されるため、背面板の位置決めが容易になり、背面板を適切な位置で簡単に位置合わせすることができる。
【０００８】
前記突出部は、前記基枠体に左右対称に形成されており、且つ、前記矩形状の凸部は、前記背面板に左右対称に形成されていることを特徴としている。
この特徴によれば、基枠体の突出部間の凹部と、背面板の凸部が、左右対称に形成されており、双方の凹部及び凸部を視覚に入れやすいため、背面板を基枠体に嵌入し易い。
【０００９】
前記突出部は、前記基枠体の四隅の角部に形成されており、前記背面板は、前記基枠体と嵌合する前記矩形状の凸部とは別体の、該凸部が嵌合する前記突出部間とは異なる突出部間に嵌合する遊嵌凸部を備えることを特徴としている。
この特徴によれば、基枠体に背面板が当接された状態では、突出部間の間隔よりも遊嵌凸部は短いから、基枠体と背面板に間隙が生じ、この間隙を手掛かりに基枠体に背面板を脱着することができる。
【００１０】
前記突出部は、その２辺が前記基枠体の２辺に沿ったＬ字型であり、前記背面板の四隅の角部は、Ｌ型の前記突出部の内角部に略内接することを特徴としている。
この特徴によれば、基枠体を背面板に取り付ける際、突出部間に嵌合する矩形状の凸部による案内に加え、背面板の角部は突出部のＬ型の内角部にも案内されることから、背面板の位置決めが正確かつ容易となる。
【００１１】
前記基枠体は磁性体で形成されており、前記背面板の凸部は着磁体で形成されていることを特徴としている。
この特徴によれば、背面板の凸部を基枠体の突出部間に着磁させ仮固定ができるため、該凸部の突出部間への位置決めが簡便である。
【図面の簡単な説明】
【００１２】
【図１】実施例における書棚に設置された表示具を示す図である。
【図２】表示具を書棚に設置する状態を示す図であり、（ａ）は表示具を縦方向で設置する状態を、（ｂ）は表示具を横方向で設置する状態を示す図である。
【図３】表示具の構造を示す分解斜視図である。
【図４】（ａ）は、基枠体の背面側の平面図であり、（ｂ）は、背面板の背面側の平面図である。
【図５】図４におけるＡ−Ａ断面図である。
【図６】（ａ）は、背面板の矩形状の凸部が収容体へ近接する状態を示す図であり、（ｂ）は、同様に背面板の矩形状の凸部が収容体と当接する状態を示す図である。
【図７】表示具の裏面側の平面図である。
【発明を実施するための形態】
【００１３】
本発明に係る表示具を実施するための形態を実施例に基づいて以下に説明する。
【実施例】
【００１４】
実施例１に係る表示具につき、図１から図７を参照して説明する。本実施例における表示具は、例えば、表面に案内の印刷された紙状の表示体を収容し掲示するものとして説明する。
【００１５】
図１に示されるように、図書館・図書室などには、書棚Ａに収容されている図書を案内
するために、書棚６０の側面に表示具１が掲示されている。表示具１は表示体２が背面側から収容される収容体３と、書棚の壁面側から収容体３へ向かって表示体２の背面側に当接される背面板４（図２参照）と、から構成されている。
【００１６】
表示具１は、書棚６０の側面に固定された係止具２１（図２（ａ）参照）または係止具２２（図２（ｂ）参照）に支持されるようになっている。図２（ａ）に示されるように、係止具２１は、書棚６０の側面にネジなどの固定手段（図示せず）により固定された基材２１ａの左右方向両端に上向き鉤状の係止片２１ｂ，２１ｃを備えている。係止片２１ｂ，２１ｃは、後に詳述する表示具１におけるＬ型突出部３Ａ，３ＢまたはＬ型突出部３Ｄ，３Ｃにそれぞれ係合可能となっているとともに、係止片２１ｂ，２１ｃは、その側端２１ｄ，２１ｅがＬ型突出部３Ａ，３ＢまたはＬ型突出部３Ｄ，３Ｃを構成する片部３１ａ，３１ｂにそれぞれ近接するような距離で離間して基材２１ａにそれぞれ形成されている。
【００１７】
また、図２（ｂ）に示されるように、係止具２２は、基材２２ａと係止片２２ｂ，２２ｃを備え、係止片２２ｂ，２２ｃは、表示具１におけるＬ型突出部３Ｂ，３ＣまたはＬ型突出部３Ｃ，３Ａにそれぞれ係合可能となっているとともに、係止片２２ｂ，２２ｃは、その側端２２ｄ，２２ｅが片部３１ａ，３１ｂにそれぞれ近接するような距離で離間して基材２２ａにそれぞれ形成されている。このように、表示具１は、係止具２１または２２のいずれかを利用することにより、その背面側に配されたＬ型突出部３Ａ，３Ｂ，３Ｃ，３Ｄの内、隣り合う２つのＬ型突出部を係止具の係止片に係合させることで書棚６０に対して縦方向または横方向のいずれか選択可能に支持させることができる。
【００１８】
図３に示されるように、収容体３は透明の表面材５と、表面材５の背面側に固定される磁性を有する金属製の基枠体６と、から主に構成されている。表面材５と基枠体６とは接着材（図示せず）により固定されている。
【００１９】
図３に示されるように、表面材５の外周縁には塗装５ａが施されており、透明の表面材５の裏面に接着された基枠体６及び表面材５と、基枠体６とを固定する接着材が正面側から、可視されなくなっている。
【００２０】
表示体２は、表面材５と基枠体６によって形成される収容体３に収容された状態で、表示体２の背面側に配される背面板４と表面材５とにより挟持されて表示具１に保持されるようになっている。また、図４（ａ）に示されるように、収容体３は平面視四角形の基枠体６の四隅に、Ｌ型突出部（突出部）３Ａ，３Ｂ，３Ｃ，３Ｄを有して構成されている。
【００２１】
図５に示されるように、基枠体６は矩形状の平面部６１と平面部６１から上方へ外縁全周に亘って起立する外周縁部６２とを備えている。矩形状の平面部６１の内側は表示体と略同形状に形成されており、平面部６１の内側面６３と表面材の裏面とにより、平面部６１の厚み分の凹部が構成され、この凹部が表示体を収容する収容部（以下、収容部５０という。）として機能している。
【００２２】
外周縁部６２の内側面６４には、矩形状の片部３１ａと矩形状の片部３１ｃとが略直角に交わって平面視略Ｌ型に構成された突出部材３１，３１，…が溶接されてＬ型突出部３Ａ，３Ｂ，３Ｃ，３Ｄがそれぞれ構成されている。Ｌ型突出部３Ａ，３Ｂ，３Ｃ，３Ｄは、片部３１ａと片部３１ｃとが交わる頂点Ｐ１，Ｐ２，Ｐ３，Ｐ４が基枠体６の平面部６１の四隅内側の角部Ｑ１，Ｑ２，Ｑ３，Ｑ４と平面視で重なる位置に配置されている。更に、突出部材３１は、その上面３１ｄが外周縁部６２の上端６２ａと略面一となるように配置されている。
【００２３】
図４（ｂ）に示されるように、Ｌ型突出部３Ａの端面１３とＬ型突出部３Ｂの端面１４と基枠体６の辺部６Ａとにより間に凹部Ｗ１が構成されており、同様にＬ型突出部３Ｂの端面１５とＬ型突出部３Ｄの端面１６と基枠体６の辺部６Ｂとにより凹部Ｗ２が、Ｌ型突出部３Ｄの端面１７とＬ型突出部３Ｃの端面１８と基枠体６の辺部６Ｃとにより凹部Ｗ３が、Ｌ型突出部３Ｃの端面１９とＬ型突出部３Ａの端面２０と基枠体６の辺部６Ｄとにより凹部Ｗ４が、それぞれ構成されている。
【００２４】
図４（ｂ）に示されるように、背面板４は、有弾性のスポンジ状の素材で成形された、平面視矩形状の本体部４１と、本体部４１の外周部各四辺の中央部から延出する矩形状の凸部４Ａ，４Ｂ，４Ｃ，４Ｄと、凸部４Ａ〜４Ｄの正面側に貼り付けられた凸部と略同形状の板状のマグネット７Ａ〜Ｄとを有している。マグネット７Ａ〜７Ｄは、磁性を有する基枠体６の平面部６１における四隅を除いた４つの辺部６Ａ〜６Ｄ（図３参照）と磁着可能となっている。
【００２５】
また、図４（ａ），（ｂ）に示されるように、背面板４の凸部４Ｃの左右幅Ｎ１は、基枠体の備えるＬ型突出部３Ｃの端面１８から、Ｌ型突出部３Ｄの端面１７の幅Ｍ１と、略同幅に形成されている。そのため、図７で示されるように、背面板４と収容体３とを重ねた際には、凹部Ｗ３の長手方向の両内側端面１７，１８と凸部４Ｃの長手方向の両端面４２，４３が近接若しくは当接した状態となる。
【００２６】
一方、図４（ａ），（ｂ）に示されるように、その他の凸部４Ａ，４Ｂ，４Ｄについては、その左右幅Ｎ２，Ｎ３，Ｎ４が、凹部Ｗ１，Ｗ２，Ｗ４の左右幅Ｍ２，Ｍ３，Ｍ４も小さく形成されている。そのため、図７に示されるように、背面板４と収容体３とを重ねた際には、基枠体６の凹部Ｗ１，Ｗ２，Ｗ４の長手方向の両内側面と背面板４の凸部４Ａ，４Ｂ，４Ｄの端面との間にそれぞれ間隙部Ｋ１〜Ｋ６が形成されるようになっている。
【００２７】
次に、表示体２を表示具１に保持させる態様について説明する。先ず、収容体３の背面方向から、表示体２を収容部５０内へ嵌入させる。続いて、背面板４を表示体２の背面側から当接する。このとき、図６（ａ）に示されるように、まず背面板４の凸部４Ｃを、基枠体６の凹部Ｗ３に嵌合させる。凸部４Ｃの端面４２，４３は、基枠体が備える凹部Ｗ３の長手方向の両内側面へそれぞれ案内され、凸部４Ｃと凹部Ｗ３とが容易に位置合わせされる。
【００２８】
次に、図６（ｂ）に示されるように、凸部４Ｃと、凹部Ｗ３とが位置合わせされた状態で、凸部４Ｃを支点として背面板４を収容体３に重合させる。このとき、凸部４Ｃの外縁部４４を、基枠体６の内側面６７へ案内させることにより、凸部４Ａの外縁部４６が基枠体の内側面６５へ案内され、凸部４Ｂの外縁部４７が基枠体の内側面６６へ案内され、凸部４Ｄの外縁部４５が基枠体の内側面６４へ案内され、それぞれが位置合わせされた状態で嵌入させることができる。
【００２９】
背面板４が収容体３に重合されると、凸部４Ａ〜４Ｄが、基枠体のＬ型突出部３Ａ〜３Ｄの下方に位置する平面部における四隅を除いた４つの辺部６Ａ〜６Ｄに、凸部４Ａ〜４Ｄの正面側に設けられたマグネット７Ａ〜７Ｄが磁着され、背面板４の収容体３への取付が完了する。
【００３０】
このように、背面板４の備える凸部４Ｃが、基枠体６の凹部Ｗ３に案内されるため、背面板４の位置決めが容易になり、背面板４と収容体３とを適切な位置で簡単に位置合わせすることができる。
【００３１】
また、背面板４の本体部４１は、有弾性のスポンジ状の素材で形成されていることから、係止具の係止片が背面板４とＬ型突出部との間で挟圧され、表示具１を係止具に安定して支持させることができる。
【００３２】
また、上述したように、表示体２は収容部５０内に嵌入され、収容体３と背面板４とを磁着させる際には、背面板４の凸部４Ａ〜４Ｄは、基枠体６の平面部６１における四隅を除いた４つの辺部６Ａ〜６Ｄと磁着されるため、表示体２は収容部５０の開口が背面板４により閉塞された空間内に収容される態様となる。そのため、表示体２が磁着面で直接挟み込まれることがなく、表示体２に傷やシワが付きづらい構成となっている。
【００３３】
また、図７に示されるように、凹部Ｗ１，Ｗ２，Ｗ４には背面板４の凸部４Ａ，４Ｂ，４Ｄとの間に間隙部Ｋ１〜Ｋ６が形成されているため、背面板４と収容体３を脱着させる際、間隙部Ｋ１〜Ｋ６のいずれかを手掛かりとして、背面板４を収容体３から引き離し易くなっている。
【００３４】
尚、前記実施例では、背面板４の矩形状の凸部４Ｃを基枠体の凹部Ｗ３と嵌合させる態様について説明したが、凹部Ｗ３と凹部Ｗ１とは略同じ幅で形成されているため、背面板の矩形状の凸部４Ｂを基枠体の凹部Ｗ１と嵌合させてもよい。
【００３５】
以上、本発明の実施例を図面により説明してきたが、具体的な構成はこれら実施例に限られるものではなく、本発明の要旨を逸脱しない範囲における変更や追加があっても本発明に含まれる。
【００３６】
また、前記実施例では、背面板４の凸部４Ａ〜４Ｄは上下左右に四つ備えられているが、背面板４と収容体３とで、略同じ幅の対応する凸部と凹部とが少なくとも１セット設けられていれば、これら背面板４と収容体３との位置合わせが容易となるため、形成される凸部及び凹部の数は、前記実施例の構成に限らず、例えば左右または上下の対象２辺のみに凸部を設け、収容体３の対応する位置に凹部をそれぞれ設けた構成としてもよい。更に、凸部及び凹部は１辺につき複数箇所設けられていてもよい。
【００３７】
例えば、前記実施例では、収容体３は表面材５と基枠体６とにより構成される構成で説明したが、これに限らず、例えば、基枠体６の辺部６Ａ〜６Ｄを表示体２が載置できるように、更に内側に延出させることで表面材５を省略した構成としてもよい。
【００３８】
前記実施例において収容部５０は、平面部６１の内側面６３と表面材の裏面とにより構成される凹部を指しているが、これに限らず例えば、収容体３と背面板４との間に形成される空間全体を収容部としてもよい。
【００３９】
また、基枠体の凹部と、背面板の凸部は、それぞれ矩形状をなすと説明したが、これに限られず、平面視が三角形であってもよいし、半円型であってもよい。
【００４０】
また、凹部Ｗ１〜Ｗ４はＬ型突出部３Ａ〜３Ｄの間に構成される態様で説明したが、これに限らず、例えばＬ型突出部に代わり矩形状の突出部や丸型の突出部の間に構成されてもよい。
【符号の説明】
【００４１】
１                  表示具
２                  表示体
３                  収容体
３Ａ〜３Ｄ          Ｌ型突出部
４                  背面板
４Ａ〜４Ｄ          凸部
５                  表面材
６                  基枠体
６Ａ〜６Ｄ          辺部
２１，２２          係止具
３１                突出部材
５０                収容部
６０                書棚
６１                平面部
６２                外周縁部
Ｋ１〜Ｋ６          間隙部
Ｗ１〜Ｗ４          凹部
【図１】
2018072627.tif 000003
【図２】
2018072627.tif 000004
【図３】
2018072627.tif 000005
【図４】
2018072627.tif 000006
【図５】
2018072627.tif 000007
【図６】
2018072627.tif 000008
【図７】
2018072627.tif 000009